【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
磁気共鳴撮像システムの少なくとも一つの傾斜コイルを動作させるための電力を提供する装置であって、当該装置は：
第一の極性の異なる電圧を供給するよう構成された複数の電力端子と；
パルス・シーケンスに従って磁場を生成するよう前記少なくとも一つの傾斜コイルに電力を与えるために少なくとも一つの出力を提供するよう構成された線形増幅器とを有し、前記線形増幅器は、前記複数の電力端子の一つまたは複数によって電力を与えられるよう構成され、前記線形増幅器に電力を与える前記複数の電力端子の前記一つまたは複数は、少なくとも部分的には前記少なくとも一つの出力に基づいて選択され、
前記線形増幅器が、前記線形増幅器によって生成される出力電圧の絶対値がある閾値より下であるときは前記複数の電力端子のうち少なくとも第一の電力端子によって電力を与えられるよう構成され、
前記線形増幅器が、前記線形増幅器によって生成される出力電圧の絶対値が前記閾値より上であるときは前記複数の電力端子のうち少なくとも第二の電力端子によって電力を与えられるよう構成され、
前記第一の電力端子が第一の電圧をもち、前記第二の電力端子が前記第一の電圧より絶対値が大きい第二の電圧をもち、
前記線形増幅器に前記第一の電力端子によって電力を与えることと前記線形増幅器に前記第二の電力端子によって電力を与えることの間の遷移の際には、前記線形増幅器は、前記第一の電力端子および前記第二の電力端子の両方によって電力を与えられるよう構成される、
装置。
【請求項２】
前記線形増幅器をして前記パルス・シーケンスに従って磁場を生成するよう前記少なくとも一つの傾斜コイルに電流を提供させる電流コマンドを前記線形増幅器に提供するコントローラをさらに有する、請求項１記載の装置。
【請求項３】
前記線形増幅器に結合された電流フィードバック・ループをさらに有しており、前記電流フィードバック・ループは、前記線形増幅器をして、少なくとも部分的には前記少なくとも一つの傾斜コイルを流れる電流を前記電流コマンドと比較することによって、前記パルス・シーケンスに従って前記少なくとも一つの傾斜コイルに電流を提供させる、請求項２記載の装置。
【請求項４】
前記線形増幅器に電力を与える前記複数の電力端子の前記一つまたは複数は、少なくとも部分的には前記線形増幅器の出力電圧に基づいて動的に変更される、請求項１記載の装置。
【請求項５】
前記パルス・シーケンスが複数の傾斜パルスを含み、前記複数の傾斜パルスどうしの間には前記線形増幅器は前記第一の電力端子によって電力を与えられ、前記複数の傾斜パルスのそれぞれのための電流を提供するために前記線形増幅器が前記第二の電力端子によって電力を与えられることに遷移させられる、請求項１記載の装置。
【請求項６】
前記第一の電圧が、前記線形増幅器のコマンドされた出力電圧に基づいて制御される、請求項１記載の装置。
【請求項７】
前記第一の電圧を生成する電力変換器と；
前記第一の電圧を変えるよう前記電力変換器を制御するよう構成されたコントローラとを有する、
請求項５記載の装置。
【請求項８】
前記複数の傾斜パルスのそれぞれが、それぞれの傾斜パルスの始まりに関連付けられた上昇端を含み、
前記コントローラが、前記線形増幅器が前記複数の傾斜パルスの各傾斜パルスの上昇端に対応する前記少なくとも一つの傾斜コイルへの電流を提供する前に、前記第一の電圧の絶対値を増すよう前記電力変換器にコマンドするよう構成されている、
請求項７記載の装置。
【請求項９】
前記電力変換器が前記第二の電力端子によって電力を与えられる、請求項８記載の装置。
【請求項１０】
磁気共鳴撮像システムの少なくとも一つの傾斜コイルを動作させるための電力を提供する装置であって、当該装置は：
第一の極性の異なる電圧を供給するよう構成された複数の電力端子と；
パルス・シーケンスに従って磁場を生成するよう前記少なくとも一つの傾斜コイルに電力を与えるために少なくとも一つの出力を提供するよう構成された線形増幅器とを有し、前記線形増幅器は、前記複数の電力端子の一つまたは複数によって電力を与えられるよう構成され、前記線形増幅器に電力を与える前記複数の電力端子の前記一つまたは複数は、少なくとも部分的には前記少なくとも一つの出力に基づいて選択され、
前記線形増幅器が、前記線形増幅器の出力端子と前記複数の電力端子の第一の電力端子との間に接続されるよう構成された一つまたは複数の第一のトランジスタを有し、
当該装置は、前記線形増幅器によって生成される出力電圧の絶対値がある閾値より下であるときに線形動作範囲で前記一つまたは複数の第一のトランジスタを駆動する第一の駆動回路をさらに有し、
前記線形増幅器が、前記一つまたは複数の第一のトランジスタと前記複数の電力端子の第二の電力端子との間に接続されるよう構成された一つまたは複数の第二のトランジスタをさらに有し、
当該装置は：
前記線形増幅器によって生成される出力電圧の絶対値が前記閾値より上であるときに線形動作範囲で前記一つまたは複数の第二のトランジスタを駆動する第二の駆動回路と、
ある時間期間後に前記第二の駆動回路をオフにするタイミング回路をさらに有し、
前記タイミング回路が、それぞれ抵抗およびキャパシタンス値をもつ抵抗器およびキャパシタを有し、前記抵抗およびキャパシタンス値が前記時間期間の長さを決定する、
装置。
【請求項１１】
磁気共鳴撮像システムの少なくとも一つの傾斜コイルを動作させるための電力を提供する装置であって、当該装置は：
第一の極性の異なる電圧を供給するよう構成された複数の電力端子と；
パルス・シーケンスに従って磁場を生成するよう前記少なくとも一つの傾斜コイルに電力を与えるために少なくとも一つの出力を提供するよう構成された線形増幅器とを有し、前記線形増幅器は、前記複数の電力端子の一つまたは複数によって電力を与えられるよう構成され、前記線形増幅器に電力を与える前記複数の電力端子の前記一つまたは複数は、少なくとも部分的には前記少なくとも一つの出力に基づいて選択され、
前記線形増幅器が片側（single-ended）であり、
当該装置が、前記線形増幅器の出力を受け取り、前記少なくとも一つの傾斜コイルに前記線形増幅器の出力または前記線形増幅器の前記出力の極性を反転させたものを届ける極性切り換え回路をさらに有する、
装置。
【請求項１２】
前記極性切り換え回路がHブリッジを有する、請求項１１記載の装置。
【請求項１３】
前記複数の電力端子が大地に対して正の電圧をもつ、請求項１記載の装置。
【請求項１４】
前記線形増幅器が両側（double-ended）であり、
前記線形増幅器が、第二の極性の異なる電圧をもつ第二の複数の電力端子の一つまたは複数の第二の電力端子によって電力を与えられるよう構成され、前記線形増幅器に電力を与える前記一つまたは複数の第二の電力端子は、前記第二の極性の異なる線形増幅器出力電圧を生成するよう変えられる、
請求項１記載の装置。
【請求項１５】
前記線形増幅器の入力に接続された出力をもつ電圧増幅器と；
前記線形増幅器の出力電圧を受け取り、前記電圧増幅器の入力に前記出力電圧を提供する電圧フィードバック・ループとをさらに有する、
請求項１記載の装置。
【請求項１６】
パルス・シーケンスに従って磁場を生成するよう少なくとも一つの傾斜コイルを駆動するよう構成された線形増幅器を使って、磁気共鳴撮像システムの前記少なくとも一つの傾斜コイルに電力を提供する方法であって、前記線形増幅器は、第一の極性の異なる電圧を供給するよう構成された複数の電力端子の一つまたは複数によって電力を与えられるよう構成されており、当該方法は：
前記線形増幅器によって生成される出力電圧の絶対値がある閾値より下であるときには、前記少なくとも一つの傾斜コイルに電流を提供するために、前記複数の電力端子の少なくとも第一の電力端子によって前記線形増幅器に電力を与え；
前記線形増幅器によって生成される出力電圧の絶対値が前記閾値より上であるときには、前記少なくとも一つの傾斜コイルに電流を提供するために、前記複数の電力端子の少なくとも第二の電力端子によって前記線形増幅器に電力を与えることを含み、
前記第一の電力端子が第一の電圧をもち、前記第二の電力端子が前記第一の電圧より絶対値が大きい第二の電圧をもち、
当該方法が、前記線形増幅器に前記第一の電力端子によって電力を与えることと前記線形増幅器に前記第二の電力端子によって電力を与えることの間の遷移の際には、前記線形増幅器に、前記第一の電力端子および前記第二の電力端子の両方によって電力を与えることをさらに含む、
方法。
【請求項１７】
磁気共鳴撮像システムの少なくとも一つの傾斜コイルを動作させるための電力を提供する装置であって、当該装置は：
パルス・シーケンスに従って前記少なくとも一つの傾斜コイルを駆動する出力を生成するよう構成された線形増幅器と；
前記線形増幅器に電力を与えるよう可変電源電圧を生成するよう構成された少なくとも一つの電力変換器と；
前記線形増幅器の出力に基づいて前記可変電源電圧を変えるよう前記少なくとも一つの電力変換器を制御するよう構成されている少なくとも一つのコントローラとを有しており、
前記少なくとも一つの電力変換器が、前記線形増幅器に電力を与える可変の正の電源電圧を生成するよう構成された第一の電力変換器と、前記線形増幅器に電力を与える可変の負の電源電圧を生成するよう構成された第二の電力変換器とを有し、
前記少なくとも一つのコントローラが、前記線形増幅器の出力電圧に基づいて前記可変の負の電源電圧を変えるよう前記第二の電力変換器を制御するよう構成されている、
装置。
【請求項１８】
前記パルス・シーケンスは複数の傾斜パルスを含み、前記少なくとも一つのコントローラは、前記パルス・シーケンスに従って前記少なくとも一つの傾斜コイルに電力を与えるために必要とされる変化する電力需要に対応して前記可変電源電圧を変えるよう構成されている、請求項１７記載の装置。
【請求項１９】
前記少なくとも一つのコントローラが、前記複数の傾斜パルスの各傾斜パルスの下降端に対応して前記可変電源電圧を低下させるよう構成されている、請求項１８記載の装置。
【請求項２０】
前記パルス・シーケンスは複数の傾斜パルスを含み、前記少なくとも一つのコントローラは、前記パルス・シーケンスに従って前記少なくとも一つの傾斜コイルに電力を与えるために必要とされる変化する電力需要に対応して前記可変の正の電源電圧および前記可変の負の電源電圧を変えるよう構成されている、請求項１７記載の装置。
【請求項２１】
磁気共鳴撮像システムの少なくとも一つの傾斜コイルを動作させるための電力を提供する装置であって、当該装置は：
パルス・シーケンスに従って前記少なくとも一つの傾斜コイルを駆動する出力を生成するよう構成された線形増幅器と；
前記線形増幅器に電力を与えるよう可変電源電圧を生成するよう構成された少なくとも一つの電力変換器と；
前記線形増幅器の出力に基づいて前記可変電源電圧を変えるよう前記少なくとも一つの電力変換器を制御するよう構成されている少なくとも一つのコントローラとを有しており、
前記電力変換器がスイッチング電力変換器を有し、
該スイッチング電力変換器は、前記磁気共鳴撮像システムのB0場の強さに関連するラーモア周波数より上のスイッチング周波数で切り換えを行なうよう構成されている、
装置。
【請求項２２】
B0磁場を生成するよう構成されたB0磁石と；
少なくとも一つの傾斜コイルと；
前記少なくとも一つの傾斜コイルを動作させるための電力を提供するよう構成された少なくとも一つの電力コンポーネントとを有する磁気共鳴撮像システムであって、前記少なくとも一つの電力コンポーネントは：
パルス・シーケンスに従って前記少なくとも一つの傾斜コイルを駆動する出力を生成するよう構成された線形増幅器と；
前記線形増幅器に電力を与える可変電源電圧を生成するよう構成された少なくとも一つの電力変換器と；
前記線形増幅器の出力に基づいて前記可変電源電圧を変えるよう前記少なくとも一つの電力変換器を制御するよう構成された少なくとも一つのコントローラとを有し、
前記電力変換器がスイッチング電力変換器を有し、
該スイッチング電力変換器は、前記磁気共鳴撮像システムのB0場の強さに関連するラーモア周波数より上のスイッチング周波数で切り換えを行なうよう構成されている、
磁気共鳴撮像システム。
【請求項２３】
前記B0磁石が、動作させられるときに、約0.1T以下かつ約50mT以上の場の強さをもつB0磁場を生成するよう構成されている、請求項２２記載の磁気共鳴撮像システム。
【請求項２４】
磁気共鳴撮像システムの少なくとも一つの傾斜コイルを駆動するための装置であって、当該装置は：
前記磁気共鳴撮像システムのB0磁場強度に関連付けられたラーモア周波数より上のスイッチング周波数で切り換えを行なうよう構成されたスイッチング電力変換器と；
パルス・シーケンスに従って前記少なくとも一つの傾斜コイルを駆動するよう前記スイッチング電力変換器を制御するよう構成されたコントローラとを有する、
装置。
【請求項２５】
前記B0磁場強度が約0.1T以下かつ約50mT以上である、請求項２４記載の装置。
【請求項２６】
前記スイッチング周波数が：
1MHzより大きく10MHzより小さい；
10MHzより大きく30MHzより小さい；または
30MHzより大きく300MHzより小さい、
請求項２４記載の装置。
【請求項２７】
磁気共鳴撮像システムの少なくとも一つの傾斜コイルに電力を与える方法であって、当該方法は：
パルス・シーケンスに従って前記少なくとも一つの傾斜コイルに電力を与えるよう、前記磁気共鳴撮像システムのB0磁場強度に関連付けられたラーモア周波数より上のスイッチング周波数で切り換えを行なうよう構成されたスイッチング電力変換器を制御することを含む、
方法。
【請求項２８】
B0磁場を生成するよう構成されたB0磁石と；
少なくとも一つの傾斜コイルと；
前記少なくとも一つの傾斜コイルを動作させるための電力を提供するよう構成された少なくとも一つの電力コンポーネントとを有する磁気共鳴撮像システムであって、前記少なくとも一つの電力コンポーネントは：
前記磁気共鳴撮像システムのB0磁場強度に関連付けられたラーモア周波数より上のスイッチング周波数で切り換えを行なうよう構成されたスイッチング電力変換器と；
パルス・シーケンスに従って前記少なくとも一つの傾斜コイルを駆動するよう前記スイッチング電力変換器を制御するよう構成されたコントローラとを有する、
磁気共鳴撮像システム。
【請求項２９】
三次元でのエンコードを提供するよう、前記少なくとも一つの傾斜コイルが、少なくとも一つの第一の傾斜コイル、少なくとも一つの第二の傾斜コイルおよび少なくとも一つの第三の傾斜コイルを有しており、前記少なくとも一つの電力コンポーネントが、前記少なくとも一つの第一の傾斜コイル、前記少なくとも一つの第二の傾斜コイルおよび前記少なくとも一つの第三の傾斜コイルに電力を提供するよう構成されている、請求項２８記載の磁気共鳴撮像システム。
【請求項３０】
前記スイッチング電力変換器が、可変出力電圧を生成するよう構成され、前記コントローラが、前記スイッチング電力変換器によって提供される前記可変出力電圧を制御するよう構成される、請求項２８記載の磁気共鳴撮像システム。

【手続補正２】
【補正対象書類名】明細書
【補正対象項目名】０１１０
【補正方法】変更
【補正の内容】
【０１１０】
請求項および上記の明細書において、「有する」「含む」「担持する」「もつ」「包含する」「関わる」「保持する」「構成される」などといったあらゆる移行句はオープンなものと理解される。すなわち、含むがそれに限定されないことを意味する。「…からなる」および「本質的には…からなる」という移行句のみが、それぞれクローズドまたは半クローズドの移行句である。
いくつかの態様を記載しておく。
〔態様１〕
磁気共鳴撮像システムの少なくとも一つの傾斜コイルを動作させるための電力を提供する装置であって、当該装置は：
第一の極性の異なる電圧を供給するよう構成された複数の電力端子と；
パルス・シーケンスに従って磁場を生成するよう前記少なくとも一つの傾斜コイルに電力を与えるために少なくとも一つの出力を提供するよう構成された線形増幅器とを有し、前記線形増幅器は、前記複数の電力端子の一つまたは複数によって電力を与えられるよう構成され、前記線形増幅器に電力を与える前記複数の電力端子の前記一つまたは複数は、少なくとも部分的には前記少なくとも一つの出力に基づいて選択される、
装置。
〔態様２〕
前記線形増幅器をして前記パルス・シーケンスに従って磁場を生成するよう前記少なくとも一つの傾斜コイルに電流を提供させるために、前記線形増幅器にコマンドを提供するコントローラをさらに有する、態様１記載の装置。
〔態様３〕
前記コントローラが、前記線形増幅器をして前記パルス・シーケンスに従って磁場を生成するよう前記少なくとも一つの傾斜コイルに電流を提供させる電流コマンドを提供する、態様２記載の装置。
〔態様４〕
前記線形増幅器に結合された電流フィードバック・ループをさらに有しており、前記電流フィードバック・ループは、前記線形増幅器をして、少なくとも部分的には前記少なくとも一つの傾斜コイルを流れる電流を前記電流コマンドと比較することによって、前記パルス・シーケンスに従って前記少なくとも一つの傾斜コイルに電流を提供させる、態様３記載の装置。
〔態様５〕
前記線形増幅器に電力を与える前記複数の電力端子の前記一つまたは複数は、少なくとも部分的には前記線形増幅器の出力電圧に基づいて動的に変更される、態様１記載の装置。
〔態様６〕
前記線形増幅器が、前記線形増幅器によって生成される出力電圧の絶対値がある閾値より下であるときは前記複数の電力端子のうち少なくとも第一の電力端子によって電力を与えられるよう構成される、態様１記載の装置。
〔態様７〕
前記線形増幅器が、前記線形増幅器によって生成される出力電圧の絶対値が前記閾値より上であるときは前記複数の電力端子のうち少なくとも第二の電力端子によって電力を与えられるよう構成される、態様６記載の装置。
〔態様８〕
前記第一の電力端子が第一の電圧をもち、前記第二の電力端子が前記第一の電圧より絶対値が大きい第二の電圧をもつ、態様７記載の装置。
〔態様９〕
前記線形増幅器に前記第一の電力端子によって電力を与えることと前記線形増幅器に前記第二の電力端子によって電力を与えることの間の遷移の際には、前記線形増幅器は、前記第一の電力端子および前記第二の電力端子の両方によって電力を与えられるよう構成される、態様８記載の装置。
〔態様１０〕
前記パルス・シーケンスが複数の傾斜パルスを含み、前記複数の傾斜パルスどうしの間には前記線形増幅器は前記第一の電力端子によって電力を与えられ、前記複数の傾斜パルスのそれぞれのための電流を提供するために前記線形増幅器が前記第二の電力端子によって電力を与えられることに遷移させられる、態様９記載の装置。
〔態様１１〕
前記第一の電圧が可変である、態様１０記載の装置。
〔態様１２〕
前記第一の電圧が、前記線形増幅器のコマンドされた出力電圧に基づいて制御される、態様１１記載の装置。
〔態様１３〕
前記第一の電圧を生成する電力変換器と；
前記第一の電圧を変えるよう前記電力変換器を制御するよう構成されたコントローラとを有する、
態様１１記載の装置。
〔態様１４〕
前記複数の傾斜パルスのそれぞれが、それぞれの傾斜パルスの始まりに関連付けられた上昇端を含む、態様１３記載の装置。
〔態様１５〕
前記コントローラが、前記線形増幅器が前記複数の傾斜パルスの各傾斜パルスの上昇端に対応する前記少なくとも一つの傾斜コイルへの電流を提供する前に、前記第一の電圧の絶対値を増すよう前記電力変換器にコマンドするよう構成されている、態様１４記載の装置。
〔態様１６〕
前記電力変換器が前記第二の電力端子によって電力を与えられる、態様１４記載の装置。
〔態様１７〕
前記線形増幅器が、前記線形増幅器の出力端子と前記複数の電力端子の第一の電力端子との間に接続されるよう構成された一つまたは複数の第一のトランジスタを有する、態様１記載の装置。
〔態様１８〕
前記線形増幅器によって生成される出力電圧の絶対値がある閾値より下であるときに線形動作範囲で前記一つまたは複数の第一のトランジスタを駆動する第一の駆動回路をさらに有する、態様１７記載の装置。
〔態様１９〕
前記線形増幅器が、前記一つまたは複数の第一のトランジスタと前記複数の電力端子の第二の電力端子との間に接続されるよう構成された一つまたは複数の第二のトランジスタをさらに有する、態様１８記載の装置。
〔態様２０〕
前記線形増幅器によって生成される出力電圧の絶対値が前記閾値より上であるときに線形動作範囲で前記一つまたは複数の第二のトランジスタを駆動する第二の駆動回路をさらに有する、態様１９記載の装置。
〔態様２１〕
ある時間期間後に前記第二の駆動回路をオフにするタイミング回路をさらに有する、態様２０記載の装置。
〔態様２２〕
前記タイミング回路が、それぞれ抵抗およびキャパシタンス値をもつ抵抗器およびキャパシタを有し、前記抵抗およびキャパシタンス値が前記時間期間の長さを決定する、態様２１記載の装置。
〔態様２３〕
前記線形増幅器が片側（single-ended）である、態様１記載の装置。
〔態様２４〕
前記線形増幅器の出力を受け取り、前記少なくとも一つの傾斜コイルに前記線形増幅器の出力または前記線形増幅器の前記出力の極性を反転させたものを届ける極性切り換え回路をさらに有する、態様２３記載の装置。
〔態様２５〕
前記極性切り換え回路がHブリッジを有する、態様２４記載の装置。
〔態様２６〕
前記複数の電力端子が大地に対して正の電圧をもつ、態様１記載の装置。
〔態様２７〕
前記線形増幅器が両側（double-ended）である、態様１記載の装置。
〔態様２８〕
前記線形増幅器が、第二の極性の異なる電圧をもつ第二の複数の電力端子の一つまたは複数の第二の電力端子によって電力を与えられるよう構成され、前記線形増幅器に電力を与える前記一つまたは複数の第二の電力端子は、前記第二の極性の異なる線形増幅器出力電圧を生成するよう変えられる、態様２７記載の装置。
〔態様２９〕
前記線形増幅器の入力に接続された出力をもつ電圧増幅器をさらに有する、態様１記載の装置。
〔態様３０〕
前記線形増幅器の出力電圧を受け取り、前記電圧増幅器の入力に前記出力電圧を提供する電圧フィードバック・ループをさらに有する、態様２９記載の装置。
〔態様３１〕
前記磁気共鳴撮像システムが低磁場磁気共鳴撮像システムである、態様１記載の装置。
〔態様３２〕
パルス・シーケンスに従って磁場を生成するよう少なくとも一つの傾斜コイルを駆動するよう構成された線形増幅器を使って、磁気共鳴撮像システムの前記少なくとも一つの傾斜コイルに電力を提供する方法であって、前記線形増幅器は、第一の極性の異なる電圧を供給するよう構成された複数の電力端子の一つまたは複数によって電力を与えられるよう構成されており、当該方法は：
前記線形増幅器によって生成される出力電圧の絶対値がある閾値より下であるときには、前記少なくとも一つの傾斜コイルに電流を提供するために、前記複数の電力端子の少なくとも第一の電力端子によって前記線形増幅器に電力を与え；
前記線形増幅器によって生成される出力電圧の絶対値が前記閾値より上であるときには、前記少なくとも一つの傾斜コイルに電流を提供するために、前記複数の電力端子の少なくとも第二の電力端子によって前記線形増幅器に電力を与えることを含む、
方法。
〔態様３３〕
前記第一の電力端子が第一の電圧をもち、前記第二の電力端子が前記第一の電圧より絶対値が大きい第二の電圧をもつ、態様３２記載の方法。
〔態様３４〕
前記線形増幅器に前記第一の電力端子によって電力を与えることと前記線形増幅器に前記第二の電力端子によって電力を与えることの間の遷移の際には、前記線形増幅器に、前記第一の電力端子および前記第二の電力端子の両方によって電力を与えることをさらに含む、態様３３記載の方法。
〔態様３５〕
前記パルス・シーケンスが複数の傾斜パルスを含み、前記複数の傾斜パルスどうしの間には前記線形増幅器は前記第一の電力端子によって電力を与えられ、前記複数の傾斜パルスのそれぞれのための電流を提供するために前記線形増幅器が前記第二の電力端子によって電力を与えられることに遷移させられる、態様３４記載の方法。
〔態様３６〕
B0磁場を生成するよう構成されたB0磁石と；
少なくとも一つの傾斜コイルと；
前記少なくとも一つの傾斜コイルを動作させるための電力を提供するよう構成された少なくとも一つの電力コンポーネントとを有する磁気共鳴撮像システムであって、前記少なくとも一つの電力コンポーネントは：
第一の極性の異なる電圧を供給するよう構成された複数の電力端子と；
パルス・シーケンスに従って磁場を生成するよう前記少なくとも一つの傾斜コイルに電流を提供するよう構成された線形増幅器とを有し、前記線形増幅器は、前記複数の電力端子の一つまたは複数によって電力を与えられるよう構成され、前記線形増幅器に電力を与える前記複数の電力端子の前記一つまたは複数は、少なくとも部分的には、前記少なくとも一つの出力に基づいて選択される、
磁気共鳴撮像システム。
〔態様３７〕
前記B0磁石が、動作させられるときに、約0.2T以下かつ約0.1T以上の場の強さをもつB0磁場を生成するよう構成されている、態様３６記載の磁気共鳴撮像システム。
〔態様３８〕
前記B0磁石が、動作させられるときに、約0.1T以下かつ約50mT以上の場の強さをもつB0磁場を生成するよう構成されている、態様３６記載の磁気共鳴撮像システム。
〔態様３９〕
前記B0磁石が、動作させられるときに、約50mT以下かつ約20mT以上の場の強さをもつB0磁場を生成するよう構成されている、態様３６記載の磁気共鳴撮像システム。
〔態様４０〕
前記B0磁石が、動作させられるときに、約20mT以下かつ約10mT以上の場の強さをもつB0磁場を生成するよう構成されている、態様３６記載の磁気共鳴撮像システム。
〔態様４１〕
三次元でのエンコードを提供するよう、前記少なくとも一つの傾斜コイルが、少なくとも一つの第一の傾斜コイル、少なくとも一つの第二の傾斜コイルおよび少なくとも一つの第三の傾斜コイルを有しており、前記少なくとも一つの電力コンポーネントが、前記少なくとも一つの第一の傾斜コイル、前記少なくとも一つの第二の傾斜コイルおよび前記少なくとも一つの第三の傾斜コイルに電力を提供するよう構成されている、態様３６記載の磁気共鳴撮像システム。
〔態様４２〕
磁気共鳴撮像システムの少なくとも一つの傾斜コイルを動作させるための電力を提供する装置であって：
パルス・シーケンスに従って前記少なくとも一つの傾斜コイルを駆動する出力を生成するよう構成された線形増幅器と；
前記線形増幅器に電力を与えるよう可変電源電圧を生成するよう構成された少なくとも一つの電力変換器と；
前記線形増幅器の出力に基づいて前記可変電源電圧を変えるよう前記少なくとも一つの電力変換器を制御するよう構成されている少なくとも一つのコントローラとを有する、
装置。
〔態様４３〕
前記パルス・シーケンスは複数の傾斜パルスを含み、前記少なくとも一つのコントローラは、前記パルス・シーケンスに従って前記少なくとも一つの傾斜コイルに電力を与えるために必要とされる変化する電力需要に対応して前記可変電源電圧を変えるよう構成されている、態様４２記載の装置。
〔態様４４〕
前記少なくとも一つのコントローラが、前記複数の傾斜パルスの各傾斜パルスの上昇端に対応して前記可変電源電圧を高めるよう構成されている、態様４３記載の装置。
〔態様４５〕
前記少なくとも一つのコントローラが、前記複数の傾斜パルスの各傾斜パルスの下降端に対応して前記可変電源電圧を低下させるよう構成されている、態様４４記載の装置。
〔態様４６〕
前記少なくとも一つの電力変換器が、前記線形増幅器に電力を与える可変の正の電源電圧を生成するよう構成された第一の電力変換器と、前記線形増幅器に電力を与える可変の負の電源電圧を生成するよう構成された第二の電力変換器とを有する、態様４２記載の装置。
〔態様４７〕
前記少なくとも一つのコントローラが、前記線形増幅器の出力電圧に基づいて前記可変の負の電源電圧を変えるよう前記第二の電力変換器を制御するよう構成されている、態様４６記載の装置。
〔態様４８〕
前記パルス・シーケンスは複数の傾斜パルスを含み、前記少なくとも一つのコントローラは、前記パルス・シーケンスに従って前記少なくとも一つの傾斜コイルに電力を与えるために必要とされる変化する電力需要に対応して前記可変の正の電源電圧および前記可変の負の電源電圧を変えるよう構成されている、態様４７記載の装置。
〔態様４９〕
前記電力変換器が、前記磁気共鳴撮像システムのB0場の強さに関連するラーモア周波数より上のスイッチング周波数で切り換えを行なうよう構成されているスイッチング電力変換器を有する、態様４２記載の装置。
〔態様５０〕
前記磁気共鳴撮像システムは低磁場磁気共鳴撮像システムである、態様４９記載の装置。
〔態様５１〕
パルス・シーケンスに従って磁場を生成するよう少なくとも一つの傾斜コイルに電流を提供するよう構成された線形増幅器を使って、磁気共鳴撮像システムの前記少なくとも一つの傾斜コイルに電力を提供する方法であって：
少なくとも一つの固定電力供給を、前記線形増幅器に電力を与えるための少なくとも一つの可変電源電圧に変換する段階と；
前記線形増幅器の出力に基づいて前記可変電源電圧を変える段階と；
前記パルス・シーケンスに従って前記少なくとも一つの傾斜コイルを駆動する出力を生成するよう前記線形増幅器を制御する段階とを含む、
方法。
〔態様５２〕
前記パルス・シーケンスは複数の傾斜パルスを含み、前記少なくとも一つの可変電源電圧を変えることは、前記パルス・シーケンスに従って前記少なくとも一つの傾斜コイルに電力を与えるために必要とされる変化する電力需要に対応して前記少なくとも一つの可変電源電圧を変えることを含む、態様５１記載の方法。
〔態様５３〕
前記少なくとも一つの可変電源電圧を変えることが、前記複数の傾斜パルスの各傾斜パルスの上昇端に対応して前記少なくとも一つの可変電源電圧を高めることを含む、態様５２記載の方法。
〔態様５４〕
前記少なくとも一つの可変電源電圧を変えることが、前記複数の傾斜パルスの各傾斜パルスの下降端に対応して前記少なくとも一つの可変電源電圧を低下させることを含む、態様５３記載の方法。
〔態様５５〕
B0磁場を生成するよう構成されたB0磁石と；
少なくとも一つの傾斜コイルと；
前記少なくとも一つの傾斜コイルを動作させるための電力を提供するよう構成された少なくとも一つの電力コンポーネントとを有する磁気共鳴撮像システムであって、前記少なくとも一つの電力コンポーネントは：
パルス・シーケンスに従って前記少なくとも一つの傾斜コイルを駆動する出力を生成するよう構成された線形増幅器と；
前記線形増幅器に電力を与える可変電源電圧を生成するよう構成された少なくとも一つの電力変換器と；
前記線形増幅器の出力に基づいて前記可変電源電圧を変えるよう前記少なくとも一つの電力変換器を制御するよう構成された少なくとも一つのコントローラとを有する、
磁気共鳴撮像システム。
〔態様５６〕
前記B0磁石が、動作させられるときに、約0.2T以下かつ約0.1T以上の場の強さをもつB0磁場を生成するよう構成されている、態様５５記載の磁気共鳴撮像システム。
〔態様５７〕
前記B0磁石が、動作させられるときに、約0.1T以下かつ約50mT以上の場の強さをもつB0磁場を生成するよう構成されている、態様５５記載の磁気共鳴撮像システム。
〔態様５８〕
前記B0磁石が、動作させられるときに、約50mT以下かつ約20mT以上の場の強さをもつB0磁場を生成するよう構成されている、態様５５記載の磁気共鳴撮像システム。
〔態様５９〕
前記B0磁石が、動作させられるときに、約20mT以下かつ約10mT以上の場の強さをもつB0磁場を生成するよう構成されている、態様５５記載の磁気共鳴撮像システム。
〔態様６０〕
三次元でのエンコードを提供するよう、前記少なくとも一つの傾斜コイルが、少なくとも一つの第一の傾斜コイル、少なくとも一つの第二の傾斜コイルおよび少なくとも一つの第三の傾斜コイルを有しており、前記少なくとも一つの電力コンポーネントが、前記少なくとも一つの第一の傾斜コイル、前記少なくとも一つの第二の傾斜コイルおよび前記少なくとも一つの第三の傾斜コイルに電力を提供するよう構成されている、態様５５記載の磁気共鳴撮像システム。
〔態様６１〕
磁気共鳴撮像システムの少なくとも一つの傾斜コイルを駆動するための装置であって、当該装置は：
前記磁気共鳴撮像システムのB0磁場強度に関連付けられたラーモア周波数より上のスイッチング周波数で切り換えを行なうよう構成されたスイッチング電力変換器と；
パルス・シーケンスに従って前記少なくとも一つの傾斜コイルを駆動するよう前記スイッチング電力変換器を制御するよう構成されたコントローラとを有する、
装置。
〔態様６２〕
前記B0磁場強度が約0.2T以下かつ約0.1T以上である、態様６１記載の装置。
〔態様６３〕
前記B0磁場強度が約0.1T以下かつ約50mT以上である、態様６１記載の装置。
〔態様６４〕
前記B0磁場強度が約50mT以下かつ約20mT以上である、態様６１記載の装置。
〔態様６５〕
前記B0磁場強度が約20mT以下かつ約10mT以上である、態様６１記載の装置。